(57)【要約】【目的】各種キャラクターの顔形状を利用したミニチュアお面アクセサリーを、伸縮性ある透明糸材を用いて携帯電話等に自在に取付ける新製品を提供する。【構成】縦横の長さがそれぞれ６ｃｍ前後に規制された各種キャラクターの顔形状を利用したミニチュアのお面アクセサリー１であって、裏面側の左右端部５、５から略直線的に張り渡したポリウレタン製の透明糸材４が２〜４倍程度に伸縮性を有していることで、該伸縮性を利用して携帯電話２等の物品に取付けることができるようにされている。【選択図】      図１
0003104550.tif 000002
【実用新案登録請求の範囲】
【請求項１】
縦横の長さがそれぞれ６ｃｍ前後に規制された各種キャラクターの顔形状を利用したミニチュアのお面アクセサリーであって、裏面側の左右端部から略直線的に張り渡したポリウレタン製の透明糸材が２〜４倍程度に伸縮性を有していることで、該伸縮性を利用して携帯電話等の物品に取付けできるものであることを特徴とした伸縮性糸材を利用して固定するミニチュアお面アクセサリー。
【考案の詳細な説明】
【技術分野】
【０００１】
本考案は、各種キャラクターの顔形状を利用したミニチュアお面アクセサリーを、伸縮性ある透明糸材を用いて携帯電話等に自在に取付ける新製品を提案するものである。
【背景技術】
【０００２】
携帯電話は広く普及し略各人が持ち歩く程になっている。インターネット接続やメール送信といった付加機能が充実し、個人的用途に基づく利用が多数を占めているのが現状である。
【０００３】
したがって、利用者個人の趣味や好みを反映した装飾等を施したり各種アクセサリーを携帯電話本体に取付けることが普通に行われている。
【０００４】
このようなアクセサリーについては、ストラップとして取付けるものやアンテナ部に取付けるものが多数提案され、実際に市販もされるようになっている。
【０００５】
また、携帯電話の本体に直接取付けるタイプのものとして以下の文献に示されるものが提案されている。
【特許文献１】実用新案登録第３０７７１８６号公報
【考案の開示】
【考案が解決しようとする課題】
【０００６】
しかし、上記した既存技術のものにおいては、ストラップやアンテナ附属品として専用の着脱部材を必要としたり、携帯電話本体に直接的に取付ける上記タイプのものにしても固定するための適宜な接着剤などを必要とし、また、他の物品に対しても任意に応用できるといったものではなかった。
【課題を解決するための手段】
【０００７】
本考案は、このような既存技術における不都合を解消すべく創案されたものであって、ミニチュアのお面形状のアクセサリーを、伸縮性ある糸材を用いて携帯電話本体等に取付けることを提案するものであり、具体的には以下の如くである。
【０００８】
（１）  縦横の長さがそれぞれ６ｃｍ前後に規制された各種キャラクターの顔形状を利用したミニチュアのお面アクセサリーであって、裏面側の左右端部から略直線的に張り渡したポリウレタン製の透明糸材が２〜４倍程度に伸縮性を有していることで、該伸縮性を利用して携帯電話等の物品に取付けできるものであることを特徴とした伸縮性糸材を利用して固定するミニチュアお面アクセサリー。
【実施例】
【０００９】
本考案の具体的な実施例の若干を、添付図面を用いて説明すると以下のとおりである。
すなわち、図１は本考案によるミニチュアお面形状アクセサリー１を携帯電話２の本体に取付ける態様の１例を示したものである。
【００１０】
ここでの携帯電話２は、近時広く普及している折畳みタイプのものであり、液晶表示部３を備えた側にのみ透明伸縮素材による糸材４を巻き回して本考案のミニチュアお面アクセサリー１を取付けるものとするのが好ましい。もちろん、取付け場所はここに限定されるものではなく、糸材４の伸縮性を利用して巻き回し取付けができる箇所であればどこでも構わない（携帯電話２にしても折畳みタイプに限定されるわけではない）。
【００１１】
ここでの透明な伸縮性糸材４の材質としては、ポリウレタンの如きがあり、太さ１ｍｍ程度の糸材４として製造されたもので、少なくとも２〜４倍程度の伸縮性を持ち、繰り返し使用可能な耐久性を有するものとして市販されているものが知られている。
【００１２】
ミニチュアお面アクセサリー１の材質としては軽量なプラスチックなどが最適であり、透明伸縮性糸材４の伸縮力によって携帯電話２の本体に取付けて容易に落ちないものとすることが可能である。
【００１３】
図２は、本考案によるミニチュアお面アクセサリー１の裏面側および側面側を示す図面である。このように透明伸縮性糸材４はお面アクセサリー１の左右端部５、５から略直線的に張り渡すものとすれば十分である。すなわち、透明伸縮性糸材４は柔軟で伸縮性に富んでいるので、携帯電話２の本体等に巻き付けるために十分な長さを確保するためにお面アクセサリー１の裏面で弛ませるほどの長さを必要としないのである。
【００１４】
このように略直線的に張り渡しておけば足りるので、透明糸材４が余計な箇所に引っかかってしまう危険性を最小限のものとすることができている。また、張り渡しする糸材４の本数は１本でも良いが、安定した取付関係を実現するには図示のように２本程度とする方が好ましい。
【００１５】
図３は、本考案のミニチュアお面アクセサリー１を折畳み式の携帯電話２に取付ける際の取付位置のヴァリエーションを幾つか示したものである。すなわち、図３（ａ）にあるように液晶表示部３の上にかかるように透明糸材４を巻き回して取付けても良いし、図３（ｂ）のように液晶表示部３を避けて折畳み部６に取付けるものとしても良い。
【００１６】
図３（ａ）のように液晶表示部３の上にかかるようにして取付けても、透明糸材４は太さ１ｍｍ程度であり透明素材でもあることから、液晶表示部３における各種表示が妨げられることはない。また、図３（ｂ）の箇所に取付ける場合に液晶表示部３にも携帯電話操作部７にも透明糸材４が何ら影響を与えないのは当然であるが、仮に携帯電話操作部７部分に巻き回した透明糸材４がかかったとしてもその操作に支障を来たすようなことはない。
【００１７】
以上においては、携帯電話２に本考案のミニチュアお面アクセサリー１を取付ける場合について説明してきたが、取付けるべき対象は携帯電話２に限られるわけではない。すなわち、ミニチュアお面アクセサリー１の裏面側に張り渡した透明糸材４が有効に伸縮する範囲内で巻き回して取付けることができる太さの物であれば何に対しても適宜に着脱することができる。例えば、タオルやナプキンを束ねるリングとして使用したり、缶ペンケースなどのバンドとして利用することが可能である。
【００１８】
以上説明したように本考案によるときは、需要者の趣味性や美観に訴える適宜なキャラクターの顔形状を利用したミニチュアお面アクセサリーを伸縮性のある透明糸材によって携帯電話や各種の物品に簡易に着脱できる新製品として提供することができ、市場に新たな需要を喚起するものとして産業上の利用可能性が高い考案である。
【図面の簡単な説明】
【００１９】
【図１】本考案によるミニチュアお面アクセサリーを折畳み式携帯電話の本体に取付ける場合の１例を示す説明図である。
【図２】ミニチュアお面アクセサリーの裏面側に張り渡す透明糸材の取付け関係を説明する図面である。
【図３】折畳み式携帯電話を開いた状態におけるミニチュアお面アクセサリーの取付け関係の若干例を示す図面である。
【符号の説明】
【００２０】
１    ミニチュアお面アクセサリー
２    携帯電話
３    液晶表示部
４    伸縮性透明糸材
５    ミニチュアお面アクセサリーの左右端部
６    折畳み部
７    携帯電話操作部
【図１】
0003104550.tif 000003
【図２】
0003104550.tif 000004
【図３】
0003104550.tif 000005